(57)【特許請求の範囲】
【請求項１】
複数本の光ファイバが円周方向に規則的に設けられ、前記光ファイバのうち上り伝送路の光ファイバと下り伝送路の光ファイバとが二本一組で光伝送路をなす光ファイバ対の複数組により構成される光ファイバユニットであって、
前記各光ファイバは光の伝送特性における方向性を有し、かつ前記各光ファイバ対における二本の光ファイバの方向性は互いに逆向きであり、
前記光ファイバ対における二本の光ファイバは円周上で隣り合い、かつ各光ファイバ対毎に同色あるいは同色および同マークであり、
前記光ファイバユニットの径方向断面視において、同一の方向性を有する前記光ファイバが、前記各光ファイバ対において、円周方向の時計回り方向の前方もしくは後方のいずれかに統一されて配置されていることを特徴とする光ファイバユニット。
【請求項２】
請求項１記載の光ファイバユニットの径方向断面において、該断面中の前記光ファイバ対における光ファイバの位置を判定することにより、当該光ファイバの方向性を識別することを特徴とする光ファイバ識別方法。
【請求項３】
請求項１に記載の光ファイバユニットを備えた光ファイバケーブル。
【発明の詳細な説明】
【０００１】
【発明の属する技術分野】
本発明は、複数本の光ファイバを有して形成される光ファイバユニットおよび光ファイバ識別方法に係り、特に入射側と出射側とで伝送特性の異なる光ファイバを使用するのに好適なものに関する。
【０００２】
【従来の技術】
最近のＷＤＭ伝送システムにあっては、伝送特性の異なる複数の光ファイバを長手方向に接続して、所定の伝送特性を有する一連の光ファイバを形成し、この光ファイバが複数本設けられることによって形成された光ファイバユニットを、例えば海底ケーブル等に加工（ケーブル化）し、中継スパンとすることが適用されている。
このような光ファイバは、伝送特性の異なる光ファイバを長手方向に接続している関係上、方向性をもっており、各光ファイバにおいて、光信号の入射端と出射端とがそれぞれ決定される点が、これまでの長手方向に同じ伝送特性を有する光ファイバを用いた光伝送路と異なる。
【０００３】
ここで所定の伝送特性を有する光ファイバとは、入射方向から見て前半部に当たる入射側には、各中継部の増幅器から増幅された光信号が入射したとき非線形効果を抑制する為に有効断面積の大きい光ファイバを配置し、光信号がある程度減衰する後半部の出射側には前半部の光ファイバの波長分散や分散傾斜等を補正する特性を有する光ファイバを配置した光ファイバのことである。この前半部で抑制された非線形効果はＤＷＤＭシステムのハイシグナルパワーに有効であり、後半部ファイバによって分散特性が補正されることによってエッジチャンネルでの分散の蓄積を低減する効果が示される。
【０００４】
また、このような複数本の光ファイバにて構成される光ファイバユニットにおいては、各光ファイバを彩色およびマークすることによって色およびマークで各々の光ファイバを識別できるようになっており、特に複数の中継区間をもつ光伝送路では、複数の中継区間を一連の伝送システムとするときに光ファイバを識別することを目的として、また敷設後の保守等のときに光ファイバを識別することを目的として、彩色およびマークすることが一般的に行われている。
【０００５】
図２および図３は所定の伝送特性を得るよう複数本の光ファイバを長手方向に接続した光ファイバにて構成される従来の光ファイバユニットの一構成例を示している。
【０００６】
図２は、入射側に配置される光ファイバ（二重丸印の太線）２１ａ，２２ａ，２３ａ…２８ａと、出射側に配置される光ファイバ（一重丸印の実線）２１ｂ，２２ｂ，２３ｂ…２８ｂとを１：２の長さの割合で接続し、一定の長さとした光ファイバ２１〜２８が、光ファイバユニットの円周方向に沿い規則的に配列するよう、光ファイバの配置がユニット樹脂２９によって固定されている従来技術の光ファイバユニット２０を図示したものである。
【０００７】
光ファイバユニット２０は、光ファイバ２１〜２８の各々が同色に彩色されており、例えば図２（ａ）において、左側端面図で見た場合、時計回り方向に赤，青，緑，紫，黄，白，茶，灰の順に規則的に配列されている。
したがって、この光ファイバユニット２０は、図２（ａ）の右側端面図を見ると、左側端面図の配色順とは、鏡面対称である反時計回りの順になっている。なお、図中には、各々の色を表示しているが、白色は黒い線にて描いている。
【０００８】
また、図２（ａ）に示す光ファイバユニット２０において、光ファイバ２１（赤）は、入射端となる光ファイバ２１ａが図中左側に、出射端となる光ファイバ２１ｂが図中右側に配置されている時、図中矢印で示す方向の左から右へ光信号が伝送される。また、光ファイバ２１（赤）と隣り合う光ファイバ２２（青）は、入射端となる光ファイバ２２ａが図中右側に、出射端となる光ファイバ２２ｂが図中左側に配置されており、矢印のように右から左へ光信号が伝送される。
【０００９】
ここで、伝送方向が左から右となる伝送路を「上り」、右から左となる伝送路を「下り」と呼び、それぞれ記号Ｃ、Ｄとして示す。なお、光ファイバユニットにおいては、上りと下りの光ファイバ二本を一組として構成されており、これらの組を数字にて表し、伝送方向の上り下りを表す記号Ｃ、Ｄの前に示す。つまり、光ファイバユニット２０においては光ファイバ２１（赤）と光ファイバ２２（青）が一つの組を構成しているので、それぞれ「伝送路１Ｃ」「伝送路１Ｄ」と表される。これと同様に光ファイバ２３（緑）「伝送路２Ｃ」と光ファイバ２４（紫）「伝送路２Ｄ」、光ファイバ２５（黄）「伝送路３Ｃ」と光ファイバ２６（白）「伝送路３Ｄ」、光ファイバ２７（茶）「伝送路４Ｃ」と光ファイバ２８（灰）「伝送路４Ｄ」で組を構成している。また、図中、入射端には「（入）」、出射端には「（出）」と表示している。
【００１０】
このように、従来の光ファイバユニット２０は、各々の光ファイバ２１〜２８が各々別色に彩色されており、しかも上り伝送路１Ｃ〜４Ｃと下り伝送路１Ｄ〜４Ｄとが各組毎に光ファイバユニットの円周方向に沿って交互に配列されることにより、計四組八本の光ファイバ２１〜２８からなる。
【００１１】
図２（ａ）が反転した場合の配置を図２（ｂ）に示す。図２（ｂ）に示す方向にある光ファイバユニット２０においては、前述した図２（ａ）の伝送路の方向とは異なり、光ファイバ２１（赤）は入射端となる光ファイバ２１ａが図中右側に、出射端となる光ファイバ２１ｂが図中左側に配置されている。よって、光ファイバ２１（赤）は伝送方向が右から左となる下り伝送路「伝送路１Ｄ」となる。また、光ファイバ２２（青）は「伝送路１Ｃ」、光ファイバ２３（緑）は「伝送路２Ｄ」、光ファイバ２４（紫）は「伝送路２Ｃ」、光ファイバ２５（黄）は「伝送路３Ｄ」、光ファイバ２６（白）は「伝送路３Ｃ」、光ファイバ２７（茶）は「伝送路４Ｄ」、光ファイバ２８（灰）は「伝送路４Ｃ」となっている。
【００１２】
つまり、光ファイバユニット２０においては、図２（ａ）の方向にある光ファイバ２１（赤）は「伝送路１Ｃ」であるが、反転して図２（ｂ）の方向になることにより「伝送路１Ｄ」となる。しかし、複数の中継区間を持つシステムでは、光ファイバに施された色あるいはマークにて各々の光ファイバを識別しているため、つまり、例えば光ファイバ２１（赤）は「伝送路１Ｃ」とすると決められているため、図２（ｂ）の方向にある光ファイバユニット２０を反転させて、図２（ａ）の方向に配置する必要性が生じてくる。
【００１３】
但し、光ファイバユニットの方向は、ケーブル化までの製造工程や敷設工事の手順に大きく左右されるものであり、容易に変更できるものではない。
【００１４】
一方、他の従来技術の光ファイバユニット３０について、図３に示す。光ファイバユニット３０は、図２に示した光ファイバユニット２０と同様、光ファイバが各組毎に光ファイバユニットの円周方向に沿って規則的に配列されるようにユニット樹脂３９により固定されることにより計四組を構成する八本の光ファイバ３１〜３８からなっている。ここで光ファイバユニット２０と異なる点は各光ファイバの色であり、例えば一つの組を構成する光ファイバ３１と光ファイバ３２においては、入射側の光ファイバを赤に、出射側の光ファイバを青に彩色している。
つまり、図３に示す光ファイバユニット３０は、各光ファイバ３１〜３８において、一連の光伝送路を構成する入射側と出射側の光ファイバ（３１ａと３１ｂ、３２ａと３２ｂ、３３ａと３３ｂ、３４ａと３４ｂ、３５ａと３５ｂ、３６ａと３６ｂ、３７ａと３７ｂ、３８ａと３８ｂ）の色はそれぞれ異なっており、さらに、各組を構成する光ファイバ対の入射側同士および出射側同士の色がそれぞれ同色となるように、つまり３１ａと３２ａ、３１ｂと３２ｂ、３３ａと３４ａ、３３ｂと３４ｂ、３５ａと３６ａ、３５ｂと３６ｂ、３７ａと３８ａ、３７ｂと３８ｂが同色となるように彩色している。
【００１５】
これにより、光ファイバユニット３０において、前述した図２に示す光ファイバユニット２０と同様、図３（ａ）の方向にある光ファイバ３１は「伝送路１Ｃ」であるが、反転して図３（ｂ）の方向になることにより「伝送路１Ｄ」となる。しかし、光ファイバユニット２０を構成する光ファイバと違い、光ファイバ３１の色は長手方向に異なっていることにより、例えばある組においては入射端の光ファイバの色は赤／出射端の光ファイバの色は青と決められている場合、光ファイバ３１は図３（ａ）、図３（ｂ）のどちらの方向に配置されてもこの条件を満たすわけであり、よって光ファイバユニット２０において生じた問題は解消される。
【００１６】
しかし、この光ファイバユニット３０においては、図４に示す区間Ｘでは、各組を構成する二本の光ファイバが同色となっており、各組における上り下りの伝送方向の識別が不能である。ケーブル化までの製造工程や敷設工事の際、この区間Ｘにおいて、光ファイバユニットが切断された時は、色に依る各光ファイバの識別は不能であり、よって容易に識別することは期待できない。また、色による識別不能区間Ｘを狭くする、あるいはなくす為に光ファイバの接続点の位置、つまり構成比を調整することが考えられるが、この調整に因り、所定の伝送特性を得ることが困難になり、本来の目的にそぐわないことが懸念される。
【００１７】
上述したように、図２，図３に示すような伝送特性に方向性を有する光ファイバにて構成される光ファイバユニットは伝送特性上、方向性を有することになり、伝送システムを構成（敷設）するために各光ファイバユニットの方向性を合わせる必要性が生じ、種々の管理や作業等が要請されることとなる。
【００１８】
【発明が解決しようとする課題】
ところで、前述したとおり図２にて示す従来の光ファイバユニット２０は、光ファイバ２１〜２８の入射側の光ファイバ２１ａと出射側の光ファイバ２１ｂ、２２ａと２２ｂ、…、２８ａと２８ｂとが、同色に彩色されており、且つ各組を構成する光ファイバが隣り合う様に光ファイバユニットの円周方向に沿い、規則的に配列するようにユニット樹脂２９にて固定されている。この光ファイバユニット２０において、複数の中継区間を同色に彩色された光ファイバで伝送しようとする時、例えば光ファイバユニットを図２（ａ）の方向に統一して敷設できるようケーブル化製造工程順を考慮して製造したとしても、何らかの理由により図２（ｂ）の方向にて製造が完了した場合、あるいは敷設の手順が予定していたものから変更となった場合等、巻替えの必要性が生じるという問題がある。
【００１９】
そのため、光ファイバユニット２０を、あるいはケーブル化されたものの巻替えを行わなければならないが、そのようにしようとすると、特に、海底に敷設されるものは中継スパンとして数十キロメートルもの長さをなしているので、巻替え作業に膨大な労力や時間がかかる問題があり、製造工程を阻害する要因ともなり得る。
【００２０】
また、図３に示す従来技術においては、ケーブル化製造工程あるいは敷設工事等で光ファイバユニットが切断された場合、図４に示すような光ファイバユニット３０の中間部Ｘが切断箇所であると、その部分の切断面からでは、何れが上り伝送路であり、何れが下り伝送路であるかを色のみで容易に識別することができないという問題が発生する。
【００２１】
このような問題は、光ファイバユニット２０（あるいは光ファイバユニット３０）において入射側の光ファイバ２１ａ〜２８ａ（あるいは３１ａ〜３８ａ）と出射側の光ファイバ２１ｂ〜２８ｂ（あるいは３１ｂ〜３８ｂ）とで伝送特性の異なるものを用いることにより、各光ファイバの入射端と出射端が決定され、光ファイバユニットとして方向性を有することに起因している。
【００２２】
本発明は、上記従来技術の問題点に鑑み、伝送特性上、方向性を有した光ファイバにおいて、光ファイバユニットが反転しても反転前と同等の伝送特性が得られるように方向性を有さない光ファイバユニットおよびその光ファイバユニットを実装した伝送路、また光ファイバユニットの中間部が切断されても、上り伝送路と下り伝送路とを容易に識別することができる光ファイバユニットおよび光ファイバ識別方法を提供することを課題とする。
【００２３】
【課題を解決するための手段】
本発明は上記課題を解決すべく以下に掲げる構成とした。
請求項１記載の発明の要旨は、複数本の光ファイバが円周方向に規則的に設けられ、前記光ファイバのうち上り伝送路の光ファイバと下り伝送路の光ファイバとが二本一組で光伝送路をなす光ファイバ対の複数組により構成される光ファイバユニットであって、前記各光ファイバは光の伝送特性における方向性を有し、かつ前記各光ファイバ対における二本の光ファイバの方向性は互いに逆向きであり、前記光ファイバ対における二本の光ファイバは円周上で隣り合い、かつ各光ファイバ対毎に同色あるいは同色および同マークであり、前記光ファイバユニットの径方向断面視において、同一の方向性を有する前記光ファイバが、前記各光ファイバ対において、円周方向の時計回り方向の前方もしくは後方のいずれかに統一されて配置されていることを特徴とする光ファイバユニットに存する。
請求項２記載の発明の要旨は、請求項１記載の光ファイバユニットの径方向断面において、該断面中の前記光ファイバ対における光ファイバの位置を判定することにより、当該光ファイバの方向性を識別することを特徴とする光ファイバ識別方法に存する。
請求項３記載の発明の要旨は、請求項１に記載の光ファイバユニットを備えた光ファイバケーブルに存する。
【００２４】
【発明の実施の形態】
以下、本発明の実施の形態を図１に基づいて説明する。図１は本発明の一実施形態の光ファイバユニットを示し、同図（ａ）は光ファイバユニットの左端面図、同図（ｂ）は光ファイバユニットを構成する光ファイバを長手方向に見た構成図、同図（ｃ）は光ファイバユニットの右端面図、同図（ｄ）〜（ｆ）は同図（ａ）〜（ｃ）が反転したときの説明図である。
図１（ａ）〜（ｃ）に示す光ファイバユニット１０は、光ファイバ１１〜１８にて構成されており、各々の光ファイバ１１〜１８は、入力される光信号が大きい入射側には非線形効果を抑制する為に有効断面積の大きな光ファイバ１１ａ，１２ａ…１８ａを配置し、光信号がある程度減衰した出射側には前半部の光ファイバの波長分散や分散傾斜等を補正する特性を有する光ファイバ１１ｂ，１２ｂ…１８ｂとを配置し、さらにこれらを長手方向に光学的に接続しており、従い光ファイバ１１〜１８は、伝送特性上、方向性を有することになる。また、光ファイバユニット１０を構成する光ファイバ１１〜１８は、光ファイバユニット１０の円周方向に規則的に配列するようユニット樹脂１９によって固定されている。
【００２５】
光ファイバユニット１０は、一構成例として、入射側の光ファイバと出射側の光ファイバとが１：２の長さの割合で組み合わせられているものを示している。また図１（ａ）および（ｃ）において、入射端の光ファイバは二重丸印で表示しており、出射端の光ファイバは一重丸印で表示している。さらに同図（ｂ）において、各光ファイバ１１〜１８の入射端を「（入）」として表示すると共に、出射端を「（出）」として表示している。
【００２６】
この場合、図１（ｂ）に示すように、光ファイバユニット１０において、光ファイバ１１の図中左側は入射側の光ファイバ１１ａである一方、図中右側は、出射側の光ファイバ１１ｂである。したがって、光ファイバ１１は図１（ｂ）に矢印にて示すように、左側から右方向に光信号を伝送する「上り伝送路１Ｃ」を構成している。
【００２７】
また、図１（ｂ）に示すように、前述の光ファイバ１１と円周方向で隣り合う光ファイバ１２は、図中左側は出射端の光ファイバ１２ｂである一方、図中右側は入射端の光ファイバ１２ａである。したがって、図１（ｂ）に矢印にて示すように、右側から左方向に光信号を伝送する「下り伝送路１Ｄ」を構成している。
【００２８】
さらに、光ファイバ１１と光ファイバ１２はこれら二本を一組として光伝送路を構成しており、どちらも赤色に統一されている。
【００２９】
図１（ｂ）において、光ファイバ１３と１４、１５と１６、１７と１８についても前述と同様の構成であるのでその説明を省略するが、これら光ファイバ１３「上り伝送路２Ｃ」と光ファイバ１４「下り伝送路２Ｄ」との光ファイバ対で組が構成され、光ファイバ１５「上り伝送路３Ｃ」と光ファイバ１６「下り伝送路３Ｄ」との光ファイバ対で組が構成され、また光ファイバ１７「上り伝送路４Ｃ」と光ファイバ１８「下り伝送路４Ｄ」との光ファイバ対で組が構成される。なお、光ファイバ１３と１４との光ファイバ対は青色に、光ファイバ１５と１６との光ファイバ対は黄色に、また光ファイバ１７と１８との光ファイバ対は白色に統一されている。
【００３０】
即ち、光ファイバユニット１０において、二本一組とする互いに隣り合う光ファイバ１１と１２との光ファイバ対は、また１３と１４との光ファイバ対は、さらに１５と１６との光ファイバ対は、またさらに１７と１８との光ファイバ対はそれぞれ互いに同色に統一され、しかも各組毎に異なる配色となっている。
その上、一組を構成する同色からなる光ファイバ１１と１２の光ファイバ対、１３と１４の光ファイバ対、１５と１６の光ファイバ対、１７と１８の光ファイバ対において、図１（ａ）および（ｃ）に示すように光ファイバユニット１０の左端面図および右端面図のどちらを見ても、各光ファイバ対における時計回り方向の後方に位置する光ファイバが入射端であり、前方に位置する光ファイバが出射端を構成することにより、光ファイバユニット１０をなしている。
【００３１】
図１（ａ）〜（ｃ）で示される光ファイバユニット１０が反転し、図１（ｄ）および（ｆ）の配置になった場合でも、各組を構成する光ファイバ１１と１２の光ファイバ対、１３と１４の光ファイバ対、１５と１６の光ファイバ対、１７と１８の光ファイバ対の各々の配列は、光ファイバユニット１０の各光ファイバ対における時計回り方向の後方に位置する光ファイバが入射端であり、前方に位置する光ファイバが出射端となっている。
【００３２】
つまり、本実施形態のように、各組が同色に統一された二本一組の光ファイバ対で構成される光ファイバユニット１０においては、光ファイバユニット１０が反転したとしても、光ファイバユニット１０の端面を見て各光ファイバ対における時計回り方向の後方に位置する光ファイバが入射端であれば、時計回り方向の前方に位置する光ファイバは出射端となるように統一されている。
【００３３】
よって、二本一組とする各組毎に同色に統一した光ファイバ対で構成される光ファイバユニット１０において、あらかじめ、光ファイバユニット１０のように光ファイバユニットの端面を見たときの各光ファイバ対における時計回り方向の後方の光ファイバが入射端／前方の光ファイバが出射端となる配置に統一するか、あるいはその逆の、各光ファイバ対における時計回り方向の後方の光ファイバが出射端／前方の光ファイバが入射端となる配置との何れかに統一することにより、光ファイバユニットの端面から色により各組を判別した後、各光ファイバ対における時計回り方向の前後どちらの位置にあるかを確認することにより各組毎の入射／出射端光ファイバを容易に識別することが可能となるのである。
【００３４】
このような光ファイバユニット１０を構成する光ファイバ１１〜１８は、それぞれ長手方向に同色に彩色されているので、この識別方法は当然、光ファイバユニット１０における中間地点においても有効であり、つまり前述した従来技術の光ファイバユニット３０での問題は発生しない。
【００３５】
さらに、このような光ファイバユニット１０においては、各組を構成する二本の光ファイバ対が同色に統一されている関係上、前述した従来技術の光ファイバユニット２０にて問題となっていた巻替え作業発生の可能性がない。
【００３６】
その結果、中継スパンとしての光ファイバユニット１０が反転した状態になっても、また中間部分がケーブル化製造工程中あるいは敷設工事中に切断されることがあっても、その断面を見れば、目的の光ファイバが光ファイバユニットの各光ファイバ対の時計回り方向の前後どちらに位置するかを確認するだけで入射端か出射端かを識別できる。故に、ケーブル化製造工程での工程管理や敷設工事および敷設工事後の保守点検等が容易となり、また方向性を有する光ファイバ１１〜１８により構成される光ファイバユニット１０に発生する特有の問題を的確に解消することができる。
【００３７】
また、前述したように、光ファイバ二本一組で光伝送路を構成する光ファイバ対の各組をそれぞれ同色にしているので、将来予想される多心光ファイバユニットにおいて光ファイバを識別するための色あるいはマークの数が煩雑となることを抑えることも期待できる。さらに、従来技術において必要であった、各光ファイバを全て異なる色・マークに彩色しなくとも、本発明においては各組を一つの単位として配列を考慮すれば、配列次第に依っては各光ファイバの識別が可能となるので、色数の低減によってコストの大幅な低廉化を図ることもできる。
【００３８】
【発明の効果】
以上説明したように、本発明によれば、複数本の光ファイバが二本一組で光伝送路をなす光ファイバ対の複数組により構成される光ファイバユニットにおいて、各組の二本一組の光ファイバを隣り合わせになるよう規則的に配列し、且つ各組毎同色あるいは同色および同一マークに統一し、更に光ファイバ対における二本の光ファイバの時計回り方向の前後の位置関係と上り伝送路／下り伝送路の位置関係を固定するように配置を統一したことにより、製造工程を管理するに際して敷設時の光ファイバユニットの方向性を考慮する必要がなくなり、その結果製造工程を阻害する要因が排除された為、製造コストの低減を図ることが出来た。また併せて、ケーブル化し海底ケーブルとして敷設された後に、中継スパンの不特定の箇所で、例えば船舶の錨等によって切断される等により、修理等の必要性が生じたとしても、その端面を見るだけで各組の入射端と出射端とを容易に識別できるようになりその結果保守点検等における確実性が著しく向上した。以上のように、本発明によれば、方向性を有する光ファイバにより構成される光ファイバユニットに発生する特有の問題を的確に解消することができる効果がある。また、本発明は長手方向に同一の伝送特性を有するファイバを用いた場合にも、本発明を適用し得る効果を得ることが出来る。
【図面の簡単な説明】
【図１】本発明の一実施形態の光ファイバユニットを示してあって、（ａ）は光ファイバユニットの左端面図、（ｂ）は光ファイバユニットを構成する光ファイバを長手方向に見た構成図、（ｃ）は光ファイバユニットの右端面図で、（ｄ）〜（ｆ）は光ファイバユニット（ａ）〜（ｃ）が反転した状態の説明図である。
【図２】（ａ）は従来の光ファイバユニットの一構成例を示す説明図、（ｂ）は光ファイバユニット（ａ）が反転した状態を示す説明図である。
【図３】（ａ）は従来の光ファイバユニットの他の構成例を示す説明図、（ｂ）は光ファイバユニット（ａ）が反転した状態を示す説明図である。
【図４】図３に示す光ファイバユニットの色のみでは各光ファイバの識別が不能である中間部分を示す説明図である。
【符号の説明】
１０  光ファイバユニット
１１〜１８  光ファイバ
１１ａ，１２ａ，１３ａ，１４ａ，１５ａ，１６ａ，１７ａ，１８ａ  入射側の光ファイバ
１１ｂ，１２ｂ，１３ｂ，１４ｂ，１５ｂ，１６ｂ，１７ｂ，１８ｂ  出射側の光ファイバ
１９  ユニット樹脂
１Ｃ〜４Ｃ  上り伝送路
１Ｄ〜４Ｄ  下り伝送路
【図１】
0003919564.tif 000002
【図２】
0003919564.tif 000003
【図３】
0003919564.tif 000004
【図４】
0003919564.tif 000005